(57)【特許請求の範囲】
【請求項１】
外側面の所定位置に凸環と、前記凸環の下方に凸耳とが設けられた接続管と、
略Ｈ型に形成され、前記凸耳と対応して枢設するために上軸孔と、前記上軸孔の下方に前記上軸孔に対して垂直方向に下軸孔とが設けられた２つの調整フレームと、
前記下軸孔と対応して枢設するために軸孔が設けられた外分度盤、内分度盤とを有する２対の足ロッドと、
前記凸環に嵌め込まれるチューブと、中空のパイプ状に形成された収束管とを有するクリップと、
前記チューブの外側に接続され、中央に上下２重の円穴が形成された位置決めカバーと、ロッド形状に形成され、前記収束管の内部に挿入して接続される上方支持ロッドとを有し、
前記外分度盤および内分度盤は、上縁に設けられた凹溝が前記調整フレームと係止することにより前記足ロッドを所定の角度で固定させ、
前記位置決めカバーは、前記調整フレームを前記凸環に係止させることにより該調整フレームを所定位置に固定させることを特徴とする支持装置。
【請求項２】
前記収束管は、縦方向に形成された隙間部と、前記隙間部の両辺にそれぞれ突き出すように三段嵌合式の接合面が形成された収束ブロックとを有することを特徴とする請求項１記載の支持装置。
【請求項３】
前記位置決めカバーの上部の円穴は、前記チューブの直径より大きく、前記凸環の直径より小さくなるように形成され、下部の円穴は前記凸環との間に所定幅の隙間部を有するように前記凸環の直径より大きく形成され、
前記隙間部に前記調整フレームの上方に形成された薄片先端の止めエッジを収容することを特徴とする請求項１又は２記載の支持装置。
【請求項４】
前記外分度盤と前記内分度盤のそれぞれの上端の所定位置に凹溝を有し、
前記凹溝と前記調整フレームの前記上軸孔の前側辺に設けられた止板と係止することを特徴とする請求項１乃至３いずれか一項記載の支持装置。
【請求項５】
前記足ロッドは、背面の所定位置に縦方向に形成された縦溝を有し、
前記縦溝に沿うように縦方向に形成されたフランジと、
前記フランジの下方に凸耳とを有するスライドと、
前記凸耳と回動自在に接続される受けロッドと、
前記受けロッドと前記凸耳との接続部分を覆うように接続されると共に、縦方向に形成された軸孔を有する支持ブロックとを有することを特徴とする請求項１乃至４いずれか一項記載の支持装置。
【発明の詳細な説明】
【０００１】
【発明の属する技術分野】
本発明は、支持装置に係り、特に楽譜や楽器等を所望の位置で支持するための支持装置に関する。
【０００２】
【従来の技術】
図１６は、従来の支持装置を示す斜視図である。図１６に示すように、従来、一般的に使用されている支持装置１００は、三本の足ロッド１０１、放射状コネクター１０２、下支持ロッド１０３、指し込み部１０４、受けロッド１０５、上支持ロッド１０６、寄掛りロッド１０７等で構成されている。この支持装置１００の場合、下支持ロッド１０３で上支持ロッド１０６をねじ等で固定し、受けロッド１０５、寄掛りロッド１０７によりギターを支持する。
【０００３】
【発明が解決しようとする課題】
しかしながら、上記支持装置１００では、ギターを支持する場合、上支持ロッドを上方向に伸ばして固定すると共に、受けロッド１０５、寄掛りロッド１０７により横幅があるため、場所を取ってしまうという問題点があった。一方、指示装置１００を収納する場合も、受けロッド１０５、寄掛りロッド１０７により場所を取ってしまう。また、上記構成では、支持装置の重量が増加してしまい、移動や持ち運びに不便となり、利便性に欠けるという問題点があった。
【０００４】
また、上記支持装置では、三本の足ロッド１０１を使用しているため、ギターを支持しても少しの振動で倒れてしまい、安定させて支持することができなかった。また、予め固定された受けロッド１０５、寄掛りロッド１０７によりギターの支持にしか利用できなかった。放射状コネクター１０２に枢設する各三本の足ロッド１０１を固定するロック装置がないため三本の足ロッド１０１が不安定になると共に、三本の足ロッド１０１と放射状コネクター１０２とが１２０度の角度で接続される場合、三本の足ロッド１０１に外力が加わると支持装置１００が容易に倒れてしまう。
【０００５】
上支持ロッド１０６においては、ねじ穴を有する下支持ロッド１０３の上端とボルトで枢設する場合、ボルトを上支持ロッド１０６に押し付けて一点で固定するため固定力が弱く安定してギターを支持することができなかった。また、一点で固定するため上支持ロッド１０６の表面に傷や凹穴ができて損傷を招いてしまう。従って、機能性に欠けるという問題点があった。
【０００６】
よって、本発明は、上記の問題点を解決し、利便性及び機能性を向上させることができる支持装置を提供することを目的とする。
【０００７】
【課題を解決するための手段】
請求項１に記載の発明は、外側面の所定位置に凸環と、凸環の下方に凸耳とが設けられた接続管と、略Ｈ型に形成され、凸耳と対応して枢設するために上軸孔と、上軸孔の下方に上軸孔に対して垂直方向に下軸孔とが設けられた２つの調整フレームと、下軸孔と対応して枢設するために軸孔が設けられた外分度盤、内分度盤とを有する２対の足ロッドと、凸環に嵌め込まれるチューブと、中空のパイプ状に形成された収束管とを有するクリップと、チューブの外側に接続され、中央に上下２重の円穴が形成された位置決めカバーと、ロッド形状に形成され、収束管の内部に挿入して接続される上方支持ロッドとを有することを特徴とする。
【０００８】
請求項１に記載の発明によれば、上記構成により位置決め機能を有するため、足ロッドが両側に開いて展開され、また併合される場合、微調整や不要な操作を行うことなく効率的に操作でき、利便性及び機能性を向上させることができる。
【０００９】
請求項２に記載の発明は、請求項１において、収束管は縦方向に形成された隙間部と、隙間部の両辺にそれぞれ突き出すように三段嵌合式の接合面が形成された収束ブロックとを有することを特徴とする。
【００１０】
請求項２に記載の発明によれば、足ロッドを両側に開いて展開し、固定する場合、クリップの収束管により収束力が内側面に集中するため、上支持ロッドの固定をより安定させることができる。また、収束ブロックの三段嵌合式の接合面を有することにより、強く締め付けた場合にも接合面のずれや変形を防ぐことができる。
【００１１】
請求項３に記載の発明は、請求項１又は２において、位置決めカバーの上部の円穴は、チューブの直径より大きく、凸環の直径より小さくなるように形成され、下部の円穴は凸環との間に所定幅の隙間部を有するように凸環の直径より大きく形成され、隙間部に調整フレームの上方に形成された薄片先端の止めエッジを収容することを特徴とする。
【００１２】
請求項３に記載の発明によれば、調整フレームに対応する２組の足ロッドを外側へ開く場合、２つの調整フレームの上方の位置決め薄片の止めエッジが凸環で係止されることにより、調整フレームを所定位置に固定させることができる。
【００１３】
請求項４に記載の発明は、請求項１乃至３において、外分度盤と内分度盤のそれぞれの上端の所定位置に凹溝を有し、凹溝と調整フレームの上軸孔の前側辺に設けられた止板と係止することを特徴とする。
【００１４】
請求項４に記載の発明によれば、凹溝と止板とを係止させることにより、調整フレームの移動範囲を制限すると共に、調整フレームを位置決め、締め付けることができる。
【００１５】
請求項５に記載の発明は、請求項１乃至４において、足ロッドは背面の所定位置に縦方向に形成された縦溝を有し、縦溝に沿うように縦方向に形成されたフランジと、フランジの下方に凸耳とを有するスライドと、凸耳と回動自在に接続される受けロッドと、受けロッドと凸耳との接続部分を覆うように接続されると共に、縦方向に形成された軸孔を有する支持ブロックとを有することを特徴とする。
【００１６】
請求項５に記載の発明によれば、足ロッドにスライドが固定され、スライドに接続された受けロッドに物品を支持する場合、受けロッドに支持する物品の重さによりクリップの付着力が強くなり、安全に物品を支持することができる。
【００１７】
【発明の実施の形態】
図１は、本発明の第１実施例における支持装置を示す斜視図である。本発明の支持装置１０は、接続管１、２つの調整フレーム２、２対の足ロッド３、４、位置決めカバー５、クリップ６、上方支持ロッド７等により構成されている。
【００１８】
図２は、本発明の第１実施例における調整フレーム周辺を示す分解斜視図である。図３は、本発明の第１実施例における上方支持ロッド周辺を示す分解斜視図である。図４は、本発明の第１実施例における調整フレーム周辺を示す断面図である。接続管１には、中空のパイプ状のパイプホール１１が形成されており、パイプホール１１に上方支持ロッド７を挿入して接続されている。接続管１の外側面の適当な位置に凸環１２が設けられている。図４に示すように凸環１２により、接続管１の上方に位置決めカバー５、クリップ６が係止される。接続管１の下方には、それぞれ対応した２対の凸耳１３、１４が設けられている。図２に示すように凸耳１３、１４には、ねじ穴１３１、１４１が形成されている。ねじ穴１３１、１４１には、ねじ１５が枢設されている。
【００１９】
図２に示すように調整フレーム２は、略Ｈ型に形成されている。調整フレーム２の上方に形成された上軸孔２１が接続管１に対応した凸耳１３、１４の間に挿入され、ねじ１５で枢設される。これにより、調整フレーム２のそれぞれが前後に回動自在に接続することができる。
【００２０】
上軸孔２１の下方には、上軸孔２１に対して垂直方向に下軸孔２２が形成されている。位置決め薄片の支持プレート２４１の軸孔２４２、足ロッド３、４に設けられた外分度盤３２、内分度盤４２の軸孔３２１、４２１、下軸孔２２の順にリベット２５が挿入されて接続される。これにより、足ロッド３、４の上端の外分度盤３２、内分度盤４２を調整フレーム２に回動自在に接続し、足ロッド３、４を左右に開閉することができる。
【００２１】
また、図３に示すように位置決めカバー５には中央に上下２重の円穴５１、５２が形成されている。円穴５１の直径はクリップ６のチューブ６１の直径より大きくなるように形成され、接続管１の凸環１２の直径より小さくなるように形成されている。円穴５１により位置決めカバー５はクリップ６の下方のチューブ６１に嵌めて凸環１２を被せる。円穴５２の直径は凸環１２の直径より大きくなるように形成され、位置決めカバー５と凸環１２との間に適当な隙間が生じ、調整フレーム２の上方の位置決め薄片先端の止めエッジ２４３を収容することができる。
【００２２】
従って、調整フレーム２に対応する２組の足ロッド３、４を外側へ開く場合、２つの調整フレーム２の上方の位置決め薄片の止めエッジ２４３が凸環１２で係止される。この時、位置決めカバー５の下縁を押すと、上方に移動するため、止めエッジ２４３が凸環１２に係止されることにより、調整フレーム２を所定位置に固定させることができる。
【００２３】
上記の構成により、支持装置１０は、調整フレーム２の前後の回動と、調整フレーム２に組み立てられた足ロッド３、４の左右の回動により、十字方向に外側へ展開し、また、内側へ併合することができる。また、調整フレーム２を位置決めることができると共に、上軸孔２１の前側辺に止板２３が設けられているため、足ロッド３、４が左右に開閉する場合、止板２３が外分度盤３２、内分度盤４２の上端の所定の位置に設けられた凹溝３２２、４２２に嵌め込まれて足ロッド３、４の位置を固定することができる。止板２３の前縁に設けられた位置決め薄片２４には、前端に止めエッジ２４３が設けられ、足ロッド３、４を外側へ回動する場合、位置決めカバー５を押し上げて接続管１の凸環１２に係止する。この時、位置決めカバー５は重力により自動的に下方に下がり、位置決め薄片２４の先端の止めエッジ２４３を被せる。
【００２４】
これにより、図４に示すように調整フレーム２の移動範囲を制限し、調整フレーム２を位置決め、締め付けることができる。従って、足ロッド３、４が両側に開いて展開され、また併合される場合、調整フレーム２、位置決めカバー５等のように位置決め機能を有するため、支持装置１０を安定した展開角度で固定することができる。従って、支持装置１０を展開、併合する場合、微調整や不要な操作を行うことなく効率的に操作でき、利便性及び機能性を向上させることができる。
【００２５】
２対の足ロッド３、４は、円形パイプ３１、４１、外分度盤３２、内分度盤４２等により構成されている。図２に示すように、円形パイプ３１、４１は中空のパイプ状に形成され、その上端に、それぞれ一つの外分度盤３２、内分度盤４２を挿入すると、１組の足ロッド３、４が形成される。外分度盤３２の盤体に、注入溝３２４が形成されているため、内分度盤４２の盤体を挿入して組み立てると共に、調整フレーム２の下軸孔２２と軸孔２４２とリベット５で枢設する。これにより、リベット５を軸として回転するため、足ロッド３、４が両側へ展開、併合する機能を有する。また、足ロッド３、４を展開、併合する場合、外分度盤３２、内分度盤４２の上縁の適当な箇所に設けられた凹溝３２２、４２２が止め板２３で係止されるため、足ロッド３、４の位置を決めることができる。上記のような機能を有する支持装置１０は、省スペースで支持装置１０を併合して収納することができる。また、足ロッド３、４が展開されると所定の角度で固定され、安定した状態で支持装置１０を使用することができる。
【００２６】
図５は、本発明の第１実施例におけるスライドソケット周辺を示す分解斜視図である。図６は、本発明の第１実施例におけるスライドソケット周辺を示す分解斜視図である。図７は、本発明の第１実施例における弾性保護体を取り付けた状態を示す斜視図である。図８は、本発明の第１実施例におけるスライドソケット周辺を示す断面図である。
【００２７】
足ロッド３、４の円形パイプ３１の背面の適当な位置に、縦方向の縦溝３１１が形成されている。円形パイプ３１にはスライド８１が設けられている。スライド８１はプラスチックスチール等の素材で短い長さに形成され、縦方向に伸びたフランジ８２を有する。スライド８１のフランジ８２は、縦溝３１１に沿って滑りながら移動し、スライド８１の高低位置を調整することができる。また、スライド８１の上方に二枚の弾性クリップ８３が設けられており、スライド８１が足ロッド３、４の円形パイプ３１に挟んで設置される。
【００２８】
また、スライド８１の下方に凸耳８４が設けられており、リベット８５で回動自在に受けロッド８６と枢設される。これにより、図１１に示すように受けロッド８６を上方へ折って併合することができる。図７に示すように受けロッド８６とスライド８１との接続部分には、支持ブロック８７を取り付けられている。この支持ブロック８７に弾性保護体９０を接続し、受けロッド８６を覆う。支持ブロック８７は、軟性のゴムで形成され、縦方向に軸孔８８が設けられている。軸孔８８には受けロッド８６が接続され、その両端にはクリップ８９が突き出すように設けられている。このクリップ８９により、支持ブロック８７を円形のパイプ３１に覆うように接続する。支持装置１０を使用する場合、受けロッド８６に支持する物品の重さによりクリップ８９の付着力が強くなり、安全に物品を支持することができる。
【００２９】
図９は、本発明の第２実施例における支持装置を示す斜視図である。図１０は、本発明の第２実施例における支持装置の使用例を示す側面図である。図１１は、本発明の第２実施例における支持装置を折畳んだ状態を示す側面図である。図９に示すように、本発明の第２実施例の支持装置２０は、２本のギターを配置する場合の構成とされている。図１０に示す支持装置２０は、実際に２本のギターを配置した状態を示している。一方、支持装置２０を併合する場合、図１１に示すように省スペースで支持装置２０を併合して収納することができる。
【００３０】
図１２は、本発明の第１実施例におけるクリップを示す斜視図である。図１３は、本発明の第２実施例におけるクリップを固定する前の状態を示す断面図である。図１４は、本発明の第２実施例におけるクリップを固定した後の状態を示す断面図である。図１５は、本発明の第２実施例におけるクリップの周辺部分とクリップの断面を示す図である。本発明のクリップ６は、チューブ６１、収束管６２から構成されている。チューブ６１は、接続管１の凸環１２に嵌められて接続されている。収束管６２は、中空のパイプ状に形成され、ロッド形状に形成された上支持ロッド７を収束管６２の内部に挿入して締め付けられる。
【００３１】
収束管６２に、縦方向の隙間６３が形成され、隙間６３の両辺にそれぞれ収束ブロック６４、６５が突き出すように設置されている。収束ブロック６４、６５には、それぞれに貫通するようにねじ穴が形成され、ボルト６６により枢設されている。ボルト６６の先端には、ナット６７が設けられており、ナット６７を回転させながらねじ込まれると、大きな収束力が発生し、図１４に示すように締め付けられる。これにより、上支持ロッド７と収束管６２とを締め付ける。図１、９に示すように、上支持ロッド７の上端にギターのロッドや楽譜板等を接続することにより、楽譜や楽器、モニターなど重量のある物品を支持することができる。
【００３２】
図１２、１３、１４に示すように収束管６２の隙間６３の両辺から収束ブロック６４、６５が突き出すように配置する。収束ブロック６４、６５の対応する接合面には三段嵌合式の接合面が形成されている。図１４に示すようにナット６７で強く締め付けた場合、収束ブロック６４、６５の外側面が接触し、内側面に隙間が生じる状態となる。ナット６７でより強く締め付けた場合、収束力が内側面に集中するため、上支持ロッド７の固定をより安定させることができる。また、収束ブロック６４、６５の三段嵌合式の接合面を有することにより、ナット６７をより強く締め付けた場合にも接合面のずれや変形を防ぐことができる。
【００３３】
【発明の効果】
本発明の支持装置によれば、接続管、２つの調整フレームと、２対の足ロッド、クリップ、位置決めカバー、上方支持ロッドにより位置決め機能を有するため、足ロッドが両側に開いて展開され、また併合される場合、微調整や不要な操作を行うことなく効率的に操作でき、利便性及び機能性を向上させることができる。
【００３４】
本発明の支持装置によれば、足ロッドを両側に開いて展開し、固定する場合、クリップの収束管により収束力が内側面に集中するため、上支持ロッドの固定をより安定させることができる。また、収束ブロックの三段嵌合式の接合面を有することにより、強く締め付けた場合にも接合面のずれや変形を防ぐことができる。
【００３５】
本発明の支持装置によれば、調整フレームに対応する２組の足ロッドを外側へ開く場合、２つの調整フレームの上方の位置決め薄片の止めエッジが凸環で係止されることにより、調整フレームを所定位置に固定させることができる。
【００３６】
本発明の支持装置によれば、凹溝と止板とを係止させることにより、調整フレームの移動範囲を制限すると共に、調整フレームを位置決め、締め付けることができる。
【００３７】
本発明の支持装置によれば、足ロッドにスライドが固定され、スライドに接続された受けロッドに物品を支持する場合、受けロッドに支持する物品の重さによりクリップの付着力が強くなり、安全に物品を支持することができる。
【図面の簡単な説明】
【図１】本発明の第１実施例における支持装置を示す斜視図である。
【図２】  本発明の第１実施例における調整フレーム周辺を示す分解斜視図である。
【図３】本発明の第１実施例における上方支持ロッド周辺を示す分解斜視図である。
【図４】本発明の第１実施例における調整フレーム周辺を示す断面図である。
【図５】本発明の第１実施例におけるスライドソケット周辺を示す分解斜視図である。
【図６】本発明の第１実施例におけるスライドソケット周辺を示す分解斜視図である。
【図７】本発明の第１実施例における弾性保護体を取り付けた状態を示す斜視図である。
【図８】本発明の第１実施例におけるスライドソケット周辺を示す断面図である。
【図９】本発明の第２実施例における支持装置を示す斜視図である。
【図１０】本発明の第２実施例における支持装置の使用例を示す側面図である。
【図１１】本発明の第２実施例における支持装置を折畳んだ状態を示す側面図である。
【図１２】本発明の第１実施例におけるクリップを示す斜視図である。
【図１３】本発明の第２実施例におけるクリップを固定する前の状態を示す断面図である。
【図１４】本発明の第２実施例におけるクリップを固定した後の状態を示す断面図である。
【図１５】本発明の第２実施例におけるクリップの周辺部分とクリップの断面を示す図である。
【図１６】従来の支持装置を示す斜視図である。
【符号の説明】
１      接続管
１０    支持装置
２      調整フレーム
３、４  足ロッド
５      位置決めカバー
６      クリップ
７      上方支持ロッド
１１    パイプホール
１２    凸環
１３、１４  凸耳
１５    ねじ
２１    上軸孔
２２    下軸孔
２３    止板
２４    位置決め薄片
２５    リベット
３１    円形パイプ
３２    外分度盤
４２    内分度盤
５１、５２  円穴
６１    チューブ
８１    スライド
８２    フランジ
８３    弾性クリップ
８４    凸耳
８５    リベット
８６    受けロッド
８７    支持ブロック
１３１、１４１  ねじ穴
２４１  支持プレート
２４３  止めエッジ
３１１  縦溝
【図１】
0003676993.tif 000002
【図２】
0003676993.tif 000003
【図３】
0003676993.tif 000004
【図４】
0003676993.tif 000005
【図５】
0003676993.tif 000006
【図６】
0003676993.tif 000007
【図７】
0003676993.tif 000008
【図８】
0003676993.tif 000009
【図９】
0003676993.tif 000010
【図１０】
0003676993.tif 000011
【図１１】
0003676993.tif 000012
【図１２】
0003676993.tif 000013
【図１３】
0003676993.tif 000014
【図１４】
0003676993.tif 000015
【図１５】
0003676993.tif 000016
【図１６】
0003676993.tif 000017